(57)【特許請求の範囲】
【請求項１】
ＦＰＣが挿入される凹部を一方の端部に形成した直方体状の第１ハウジングと、
前記凹部を開閉自在に覆う矩形板状のカバーハウジングと、
前記第１ハウジングの内部に並設配置された第１コンタクトと、を備え、
前記第１コンタクトは、
基端部側を前記第１ハウジングに固定し、先端部側を前記凹部に向かって延出した第１固定アームと、
この第１固定アームと略平行に配置された第１弾性アームと、
この第１弾性アームが延びる方向と同じ方向に延出した後に、前記第１弾性アームに向かって反転した第２弾性アームと、
前記第１固定アーム、前記第１弾性アーム、及び前記第２弾性アームの基端部同士を連結した第１連結脚と、を有し、
前記カバーハウジングは、前記第１固定アームの先端部側と前記第１弾性アームの先端部側で回動自在に挟持される第１カム部を基端部に有し、
前記第１固定アームは、前記凹部の底面と対向し、前記第１カム部を押さえる押え部を先端部側に有し、
前記第１弾性アームは、前記押え部と対向し、前記第１カム部を支持する受け部を先端部側に有し、
前記第２弾性アームは、反転元に設けた第１接点と、反転側に設け、前記押え部と対向配置された第２接点及び第３接点と、を有し、
前記第１接点、前記第２接点、及び前記第３接点は、前記ＦＰＣの導体と接触自在に前記凹部の底面から突出し、
前記第１カム部は、前記押え部に係合して前記カバーハウジングの閉姿勢を維持できる第１輪郭部と、前記受け部に係合して前記カバーハウジングの開姿勢を維持できる第２輪郭部と、を有する、ＦＰＣ用コネクタ。
【請求項２】
ＦＰＣが挿入される開口を一方の端部に形成し、第１段差を他方の端部に形成した直方体状の第２ハウジングと、
前記第１段差を開閉自在に覆う矩形板状の第１バックフリップカバーと、
前記第２ハウジングの内部に並設配置された第２コンタクトと、を備え、
前記第２コンタクトは、
前記第２ハウジングの底部側に固定した第２固定アームと、
この第２固定アームと対向配置された第３弾性アームと、
この第３弾性アームが延びる方向と同じ方向に延出した後に、前記第３弾性アームに向かって反転した第４弾性アームと、
前記第２固定アーム及び前記第３弾性アームの基端同士を連結する第２連結脚と、
前記第３弾性アームと相反する向きに延びて前記第１段差に向けて突出した第１係合アームと、を有し、
前記第１係合アームは、前記第２ハウジングの第１段差の底面に向かう鉤部を先端部に有し、
前記第１バックフリップカバーは、前記第１係合アームと前記第１段差の底面との間に回動可能に保持されると共に、前記鉤部で離間困難に阻止第される第２カム部を基端部に有し、
前記第２カム部は、前記第１バックフリップカバーを閉じると前記第１係合アームを押して前記第３弾性アームの先端部を前記第４弾性アームに向けて閉じ、前記第１バックフリップカバーを開くと前記第１係合アームが追従して前記第３弾性アームの先端部を前記第４弾性アームから開く第１カム面を設け、
前記第４弾性アームは、反転元に設けた第４接点と、反転側に設け、前記第３弾性アームと対向配置された第５接点及び第６接点と、を有し、
前記第４接点、前記第５接点、及び前記第６接点は、前記ＦＰＣの導体と接触自在に前記開口の底面から突出している、ＦＰＣ用コネクタ。
【請求項３】
ＦＰＣが挿入される開口を一方の端部に形成し、第２段差を他方の端部に形成した直方体状の第３ハウジングと、
前記第２段差を開閉自在に覆う矩形板状の第２バックフリップカバーと、
前記第３ハウジングの内部に並設配置された第３コンタクトと、を備え、
前記第３コンタクトは、
前記第３ハウジングの底部側に固定した第３固定アームと、
この第３固定アームと対向配置された第５弾性アームと、
この第５弾性アームが延びる方向と同じ方向に延出した後に、前記第５弾性アームに向かって反転した第６弾性アームと、
前記第３固定アーム及び前記第５弾性アームの基端同士を連結する第３連結脚と、
前記第５弾性アームと相反する向きに延びて前記第２段差に向けて突出した第２係合アームと、を有し、
前記第２係合アームは、前記第３ハウジングの第２段差の底面に向かう押え部を先端部に有し、
前記第２バックフリップカバーは、前記第２係合アームと前記第２段差の底面との間に回動可能に保持されると共に、前記押え部で押さえられる第３カム部を基端部に有し、
前記第３カム部は、前記第２バックフリップカバーを閉じると前記第２係合アームを押して前記第５弾性アームの先端部を前記第６弾性アームに向けて閉じ、前記第２バックフリップカバーを開くと前記第２係合アームが追従して前記第５弾性アームの先端部を前記第６弾性アームから開く第２カム面を設け、
前記第６弾性アームは、反転元に設けた第７接点と、反転側に設け、前記第５弾性アームと対向配置された第８接点及び第９接点と、を有し、
前記第７接点、前記第８接点、及び前記第９接点は、前記ＦＰＣの導体と接触自在に前記開口の底面から突出している、ＦＰＣ用コネクタ。
【発明の詳細な説明】
【技術分野】
【０００１】
本発明は、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）などの平形柔軟ケーブルと接続するコネクタに関する。本明細書は、平形柔軟ケーブルを総称してＦＰＣと呼称することとし、本発明は、特に、ＦＰＣの挿抜時にほとんど力を必要としない、いわゆるＺＩＦ（Ｚｅｒｏ  Ｉｎｓｅｒｔｉｏｎ  Ｆｏｒｃｅ）タイプのＦＰＣ用コネクタの構造に関する。
【背景技術】
【０００２】
近年の電子機器、例えば、ＤＶＣ（Ｄｉｇｉｔａｌ  Ｖｉｄｅｏ  Ｃａｍｅｒａ）及びＤＳＣ（Ｄｉｇｉｔａｌ  Ｓｔｉｌｌ  Ｃａｍｅｒａ）や携帯電話機とＰＤＡ（Ｐｅｒｓｏｎａｌ  Ｄｉｇｉｔａｌ  Ａｓｓｉｓｔａｎｃｅ）に代表される携帯型情報機器に実装される電子部品モジュールやプリント基板間を接続するには、平型柔軟ケーブルであるＦＰＣが使用されている。
【０００３】
プリント基板に表面実装されるＦＰＣ用コネクタ、いわゆる表面実装型のＦＰＣ用コネクタは、ハウジングと複数の板状のコンタクトを備えている。ハウジングは、ＦＰＣが挿入される凹部を形成している。複数の板状のコンタクトは、ハウジングの内部に所定のピッチで横並びに配置されている。そして、ＦＰＣ用コネクタは、ＦＰＣとこれらのコンタクトとを接触させるために、凹部を開閉するカバーハウジングを備えている。
【０００４】
従来のＦＰＣ用コネクタは、カバーハウジングの閉止状態を維持するためのロック機構、又は、カバーハウジングの左右移動を規制する規制部材を設けるなど構成部材が多く、構成の簡略化が求められていた。又、従来のＦＰＣ用コネクタは、ＦＰＣをＦＰＣ用コネクタに挿入したときに挿入容易となること、及び、コンタクトとＦＰＣの導体との位置合わせを確実にすることが求められていた。
【０００５】
上述した不具合を解消するため、簡易な構成であり、ＦＰＣを容易に挿入でき、かつ、コンタクトとＦＰＣの導体との位置合わせが容易なＦＰＣ用コネクタが開示されている（例えば、特許文献１参照）。
【先行技術文献】
【特許文献】
【０００６】
【特許文献１】特開２００４−１９３０８０号公報
【発明の概要】
【発明が解決しようとする課題】
【０００７】
図１２は、従来技術によるＦＰＣ用コネクタの構成を示す斜視図であり、カバーハウジングを開いた状態図である。図１３は、従来技術によるＦＰＣ用コネクタの構成を示す縦断面図であり、図１３（Ａ）は、補強タブを含む縦断面図、図１３（Ｂ）は、ＦＰＣを挿入する前の状態でのコンタクトを含む縦断面図、図１３（Ｃ）は、ＦＰＣを挿入した状態でのコンタクトを含む縦断面図である。
【０００８】
又、図１４は、従来技術によるＦＰＣ用コネクタの構成を示す縦断面図であり、図１３（Ｃ）の拡大図である。なお、本願の図１２から図１４は、特許文献１の図１から図３に相当している。
【０００９】
図１２から図１４を参照すると、従来技術によるＦＰＣ用コネクタ（以下、コネクタと略称する）９は、直方体状のハウジング９１と板状のカバーハウジング９２を備えている。ハウジング９１は、ＦＰＣ１ｆｃが挿入される凹部９１０を一方の端部に形成している（図１２参照）。又、ハウジング９１は、所定のピッチで横並びに配置された複数の板状のコンタクト９３を内部に備えている。カバーハウジング９２は、凹部９１０を開閉自在に、ハウジング９１と連結している。
【００１０】
図１２から図１４を参照すると、コンタクト９３は、固定アーム９３１、弾性アーム９３２、及び連結脚９３３を有している。固定アーム９３１は、ハウジング９１に固定されている。弾性アーム９３２は、固定アーム９３１を対向配置している。連結脚９３３は、固定アーム９３１と弾性アーム９３２の基端部同士を連結している。又、連結脚９３３は、弾性アーム９３２と反対側にリード部９３ｒを突出している（図１３（Ｃ）又は図１４参照）。リード部９３ｒは、その底面をプリント基板８ｐの表面にハンダ接合できる。
【００１１】
図１２から図１４を参照すると、コネクタ９は、一対の補強タブ９４・９４を更に備えている。一対の補強タブ９４・９４は、所定の間隔を設けて対向配置している。補強タブ９４は、圧入片９４ｐを一端部側に突出している（図１３（Ａ）参照）。圧入片９４ｐをハウジング９１の内部に圧入することで、補強タブ９４をハウジング９１に固定できる。
【００１２】
図１２又は図１３（Ａ）を参照すると、補強タブ９４は、他端部側の底面９４ｂをプリント基板８ｐの表面にハンダ接合できる（図１３（Ｃ）参照）。補強タブ９４は、プリント基板８ｐへのハンダ接合強度を補強している。つまり、コネクタ９は、プリント基板の表面にハンダ接合できる表面実装型コネクタである。
【００１３】
図１２又は図１３（Ａ）を参照すると、補強タブ９４は、円弧状に切り欠かれた軸受部９４ｓを他端部側に形成している。一方、カバーハウジング９２は、一対の円柱状の軸部９２ｃ・９２ｃを両側面から突出している。一対の軸部９２ｃ・９２ｃは、回転軸９２ｓと同軸上に配置している。一対の軸部９２ｃ・９２ｃを軸受部９４ｓ及びハウジング９１の前面壁で回転自在に支持することで、ハウジング９１に対してカバーハウジング９２を開閉できる。
【００１４】
図１２又は図１４を参照すると、ハウジング９１は、縦長の矩形溝９１ｄを櫛の歯状に形成している（図１２又は図１４参照）。矩形溝９１ｄは、ハウジング９１の後部から開口され、凹部９１０に連通している。矩形溝９１ｄには、コンタクト９３の連結脚９３３を圧入できる。又、矩形溝９１ｄには、コンタクト９３の弾性アーム９３２を収容している。
【００１５】
図１２又は図１４を参照すると、カバーハウジング９２は、櫛の歯状に形成された矩形の切り欠き９２ｄを基端部側に有している。切り欠き９２ｄには、コンタクト９３の固定アーム９３１を収容している。又、切り欠き９２ｄは、回転軸９２ｓを内部に形成している。一方、固定アーム９３１は、半円弧状の押え部９３ａを先端部に形成している（図１４参照）。押え部９３ａは、凹部９１０の底面に対向している。そして、押え部９３ａは、回転軸９２ｓを回転自在に支持している。
【００１６】
図１２又は図１４（Ｃ）を参照すると、弾性アーム９３２は、接点９３ｐを先端部に形成している（図１４参照）。接点９３ｐは、固定アーム９３１の押え部９３ａに向かって突出している。
【００１７】
図１２又は図１３（Ｂ）の想像線で示すように、カバーハウジング９２を開いた状態では、カバーハウジング９２の終端縁９２ｅが凹部９１０の底面から離隔しているので、力を殆んど必要とすることなく、ＦＰＣ１ｆｃを凹部９１０に挿抜できる。つまり、図１２から図１４に示したコネクタ９は、ＺＩＦタイプのＦＰＣ用コネクタである。
【００１８】
一方、図１２又は図１３（Ｂ）の想像線で示した状態から、カバーハウジング９２を閉じると、カバーハウジング９２の終端縁９２ｅがＦＰＣ１ｆｃを凹部９１０の奥側に移動させることができる。図１４を参照して、カバーハウジング９２を閉じた状態では、弾性アーム９３２は、ＦＰＣ１ｆｃを凹部９１０の底面に押圧する力を付勢しているので、その反作用として、接点９３ｐは、ＦＰＣ１ｆｃを押し上げる力を付勢している。そして、接点９３ｐは、ＦＰＣ１ｆｃの一方の面に形成した導体（図示せず）と電気的に接触できる。
【００１９】
しかし、図１２から図１４を参照すると、従来技術によるＦＰＣ用コネクタは、ＦＰＣの一方の面に形成した導体と電気的に接触する接点が一つだけなので、コンタクトとＦＰＣの接続が確実でないという問題がある。コンタクトとＦＰＣの接続が確実なＦＰＣ用コネクタが求められている。そして、以上のことが本発明の課題といってよい。
【００２０】
本発明は、このような課題に鑑みてなされたものであり、コンタクトとＦＰＣの接続が確実なＦＰＣ用コネクタを提供することを目的とする。
【課題を解決するための手段】
【００２１】
本発明者は、カバーハウジングを閉じると、コンタクトの弾性アームに向けてＦＰＣを加圧するＦＰＣ用コネクタであって、カバーハウジングの回転軸に対向配置された弾性アームに三つの接点を設けることで、コンタクトとＦＰＣの接続が確実になると考え、これに基づいて、以下のような新たなＦＰＣ用コネクタを発明するに至った。
【００２２】
（１）  ＦＰＣが挿入される凹部を一方の端部に形成した直方体状の第１ハウジングと、前記凹部を開閉自在に覆う矩形板状のカバーハウジングと、このカバーハウジングの内部に並設配置された第１コンタクトと、を備え、前記第１コンタクトは、基端部側を前記第１ハウジングに固定し、先端部側を前記凹部に向かって延出した第１固定アームと、この第１固定アームと略平行に配置された第１弾性アームと、この第１弾性アームが延びる方向と同じ方向に延出した後に、前記第１弾性アームに向かって反転した第２弾性アームと、前記第１固定アーム、前記第１弾性アーム、及び前記第２弾性アームの基端部同士を連結した第１連結脚と、を有し、前記カバーハウジングは、前記第１固定アームの先端部側と前記第１弾性アームの先端部側で回動自在に挟持される第１カム部を基端部に有し、前記第１固定アームは、前記凹部の底面と対向し、前記第１カム部を押さえる押え部を先端部側に有し、前記第１弾性アームは、前記押え部と対向し、前記第１カム部を支持する受け部を先端部側に有し、前記第２弾性アームは、反転元に設けた第１接点と、反転先に設け、前記押え部と対向配置された第２接点及び第３接点と、を有し、前記第１接点、前記第２接点、及び前記第３接点は、前記ＦＰＣの導体と接触自在に前記凹部の底面から突出している、ＦＰＣ用コネクタ。
【００２３】
（２）  前記第１カム部は、前記押え部に係合して前記カバーハウジングの閉姿勢を維持できる第１輪郭部と、前記受け部に係合して前記カバーハウジングの開姿勢を維持できる第２輪郭部と、を有する（１）記載のＦＰＣ用コネクタ。
【００２４】
（３）  ＦＰＣが挿入される開口を一方の端部に形成し、第１段差を他方の端部に形成した直方体状の第２ハウジングと、前記第１段差を開閉自在に覆う矩形板状の第１バックフリップカバーと、前記第２ハウジングの内部に並設配置された第２コンタクトと、を備え、前記第２コンタクトは、前記第２ハウジングの底部側に固定した第２固定アームと、この第２固定アームと対向配置された第３弾性アームと、この第３弾性アームが延びる方向と同じ方向に延出した後に、前記第３弾性アームに向かって反転した第４弾性アームと、前記第２固定アーム及び前記第３弾性アームの基端同士を連結する第２連結脚と、前記第３弾性アームと相反する向きに延びて前記第１段差に向けて突出した第１係合アームと、を有し、前記第１係合アームは、前記第２ハウジングの第１段差の底面に向かう鉤部を先端部に有し、前記第１バックフリップカバーは、前記第１係合アームと前記第１段差の底面との間に回動可能に保持されると共に、前記鉤部で離間困難に阻止第される第２カム部を基端部に有し、前記第２カム部は、前記第１バックフリップカバーを閉じると前記第１係合アームを押して前記第３弾性アームの先端部を前記第４弾性アームに向けて閉じ、前記第１バックフリップカバーを開くと前記第１係合アームが追従して前記第３弾性アームの先端部を前記第４弾性アームから開く第１カム面を設け、前記第４弾性アームは、反転元に設けた第４接点と、反転側に設け、前記第３弾性アームと対向配置された第５接点及び第６接点と、を有し、前記第４接点、前記第５接点、及び前記第６接点は、前記ＦＰＣの導体と接触自在に前記開口の底面から突出している、ＦＰＣ用コネクタ。
【００２５】
（４）  ＦＰＣが挿入される開口を一方の端部に形成し、第２段差を他方の端部に形成した直方体状の第３ハウジングと、前記第２段差を開閉自在に覆う矩形板状の第２バックフリップカバーと、前記第３ハウジングの内部に並設配置された第３コンタクトと、を備え、前記第３コンタクトは、前記第３ハウジングの底部側に固定した第３固定アームと、この第３固定アームと対向配置された第５弾性アームと、この第５弾性アームが延びる方向と同じ方向に延出した後に、前記第５弾性アームに向かって反転した第６弾性アームと、前記第３固定アーム及び前記第５弾性アームの基端同士を連結する第３連結脚と、前記第５弾性アームと相反する向きに延びて前記第２段差に向けて突出した第２係合アームと、を有し、前記第２係合アームは、前記第３ハウジングの第２段差の底面に向かう押え部を先端部に有し、前記第２バックフリップカバーは、前記第２係合アームと前記第２段差の底面との間に回動可能に保持されると共に、前記押え部で押さえられる第３カム部を基端部に有し、前記第３カム部は、前記第２バックフリップカバーを閉じると前記第２係合アームを押して前記第５弾性アームの先端部を前記第６弾性アームに向けて閉じ、前記第２バックフリップカバーを開くと前記第２係合アームが追従して前記第５弾性アームの先端部を前記第６弾性アームから開く第２カム面を設け、前記第６弾性アームは、反転元に設けた第７接点と、反転側に設け、前記第５弾性アームと対向配置された第８接点及び第９接点と、を有し、前記第７接点、前記第８接点、及び前記第９接点は、前記ＦＰＣの導体と接触自在に前記開口の底面から突出している、ＦＰＣ用コネクタ。
【発明の効果】
【００２６】
本発明によるＦＰＣ用コネクタは、ＦＰＣの一方の面に形成した導体と電気的に接触する接点を三つ備えているので、コンタクトとＦＰＣの接続が確実になる。
【図面の簡単な説明】
【００２７】
【図１】本発明の第１実施形態によるＦＰＣ用コネクタの構成を示す斜視図であり、カバーハウジングを開いた状態図である。
【図２】第１実施形態によるＦＰＣ用コネクタの構成を示す斜視図であり、カバーハウジングを閉じた状態図である。
【図３】第１実施形態によるＦＰＣ用コネクタの構成を示す斜視図であり、ＦＰＣ用コネクタを底部側から観た状態図である。
【図４】第１実施形態によるＦＰＣ用コネクタの構成を示す斜視分解組立図である。
【図５】第１実施形態によるＦＰＣ用コネクタの構成を示す平面図である。
【図６】第１実施形態によるＦＰＣ用コネクタの構成を示す縦断面図であり、カバーハウジングを開いた状態図である。
【図７】第１実施形態によるＦＰＣ用コネクタの構成を示す縦断面図であり、カバーハウジングを閉じた状態図である。
【図８】第１実施形態によるＦＰＣ用コネクタの構成を示す縦断面図であり、第１ハウジングにＦＰＣを挿入した状態で、カバーハウジングを閉じる過程の状態図である。
【図９】第１実施形態によるＦＰＣ用コネクタの構成を示す縦断面図であり、第１ハウジングにＦＰＣを挿入した状態で、カバーハウジングを閉じた状態図である。
【図１０】本発明の第２実施形態によるＦＰＣ用コネクタの構成を示す縦断面図であり、第１バックフリップカバーを開いた状態図である。
【図１１】本発明の第３実施形態によるＦＰＣ用コネクタの構成を示す縦断面図であり、第２バックフリップカバーを開いた状態図である。
【図１２】従来技術によるＦＰＣ用コネクタの構成を示す斜視図であり、カバーハウジングを開いた状態図である。
【図１３】従来技術によるＦＰＣ用コネクタの構成を示す縦断面図であり、図１３（Ａ）は、補強タブを含む縦断面図、図１３（Ｂ）は、ＦＰＣを挿入する前の状態でのコンタクトを含む縦断面図、図１３（Ｃ）は、ＦＰＣを挿入した状態でのコンタクトを含む縦断面図である。
【図１４】従来技術によるＦＰＣ用コネクタの構成を示す縦断面図であり、図１３（Ｃ）の拡大図である。
【発明を実施するための形態】
【００２８】
以下、図面を参照して本発明を実施するための形態を説明する。
【００２９】
［第１実施形態］
（ＦＰＣ用コネクタの構成）
最初に、本発明の第１実施形態によるＦＰＣ用コネクタの構成を説明する。
【００３０】
図１は、本発明の第１実施形態によるＦＰＣ用コネクタの構成を示す斜視図であり、カバーハウジングを開いた状態図である。図２は、第１実施形態によるＦＰＣ用コネクタの構成を示す斜視図であり、カバーハウジングを閉じた状態図である。
【００３１】
図３は、第１実施形態によるＦＰＣ用コネクタの構成を示す斜視図であり、ＦＰＣ用コネクタを底部側から観た状態図である。図４は、第１実施形態によるＦＰＣ用コネクタの構成を示す斜視分解組立図である。図５は、第１実施形態によるＦＰＣ用コネクタの構成を示す平面図である。
【００３２】
図６は、第１実施形態によるＦＰＣ用コネクタの構成を示す縦断面図であり、カバーハウジングを開いた状態図である。図７は、第１実施形態によるＦＰＣ用コネクタの構成を示す縦断面図であり、カバーハウジングを閉じた状態図である。
【００３３】
（全体構成）
図１から図７を参照すると、本発明の第１実施形態によるＦＰＣ用コネクタ（以下、コネクタと略称する）１０は、直方体状の第１ハウジング１、矩形板状のカバーハウジング２、及び複数の板状の第１コンタクト３を備えている。
【００３４】
図１又は図６から図９を参照すると、第１ハウジング１は、ＦＰＣ１ｆｃが挿入される凹部１１を一方の端部に形成している。図６又は図７を参照すると、カバーハウジング２は、凹部１１を開閉自在に覆うことができる。又、図１から図５を参照すると、第１ハウジング１は、所定のピッチで並設配置された第１コンタクト３を内部に備えている。
【００３５】
図６又は図７を参照すると、第１コンタクト３は、第１固定アーム３１と第１弾性アーム３２を備えている。又、第１コンタクト３は、第２弾性アーム３３と第１連結脚３４を備えている。第１固定アーム３１は、その基端部側を第１ハウジング１に固定している。又、第１固定アーム３１は、その先端部側を凹部１１に向かって延出している。第１弾性アーム３２は、第１固定アーム３１と略平行に配置されている。
【００３６】
図６又は図７を参照すると、第２弾性アーム３３は、第１弾性アーム３２が延びる方向と同じ方向に延出した後に、第１弾性アーム３２に向かって反転している。第１連結脚３４は、第１固定アーム３１、第１弾性アーム３２、及び第２弾性アーム３３の基端部同士を連結している。
【００３７】
図６又は図７を参照すると、カバーハウジング２は、第１カム部２ｃを基端部に有している。第１カム部２ｃは、第１固定アーム３１の先端部側と第１弾性アーム３２の先端部側で回動自在に挟持されている。
【００３８】
図６又は図７を参照すると、第１固定アーム３１は、押え部３１ｈを先端部側に形成している。押え部３１ｈは、凹部１１の底面と対向している。又、押え部３１ｈは、第１カム部２ｃを凹部１１の底面に向かって押さえている。
【００３９】
図６又は図７を参照すると、第１弾性アーム３２は、受け部３２ｓを先端部側に形成している。受け部３２ｓは、押え部３１ｈと対向配置されている。そして、受け部３２ｓは、第１カム部２ｃを支持している。
【００４０】
図６又は図７を参照すると、第２弾性アーム３３は、その反転元に第１接点ｃ１を設けている。又、第２弾性アーム３３は、その反転側に一組の第２接点ｃ２及び第３接点ｃ３を設けている。一組の第２接点ｃ２及び第３接点ｃ３は、押え部３１ｈと対向配置されている。そして、第１接点ｃ１、第２接点ｃ２、及び第３接点ｃ３は、ＦＰＣ１ｆｃの導体と接触自在に凹部１１の底面から突出している。
【００４１】
図３から図７を参照すると、第１コンタクト３は、第２弾性アーム３３と反対側にリード部３ｒを突出している。リード部３ｒは、その底面をプリント基板８ｐの表面にハンダ接合できる（図６又は図７参照）。
【００４２】
図３から図７を参照すると、コネクタ１０は、一対の補強タブ３５・３６を更に備えている。一対の補強タブ３５・３６は、所定の間隔を設けて対向配置している。
【００４３】
図４を参照すると、一方の補強タブ３５は、圧入片３５ｐを一端部側に形成している。同様に、他方の補強タブ３６は、圧入片３６ｐを一端部側に形成している。一方、第１ハウジング１は、一対の矩形の圧入穴１５ｈ・１６ｈを両端部に開口している。一対の圧入片３５ｐ・３６ｐを圧入穴１５ｈ・１６ｈに圧入することで、一対の補強タブ３５・３６を第１ハウジング１に固定できる（図１又は図２参照）。
【００４４】
図４を参照すると、一方の補強タブ３５は、接合片３５ｃを他端部側に形成している。同様に、他方の補強タブ３６は、接合片３５ｃを他端部側に形成している。一対の接合片３５ｃ・３６ｃは、これらの底面をプリント基板８ｐの表面にハンダ接合できる（図６又は図７参照）。一対の補強タブ３５・３６は、プリント基板８ｐへのハンダ接合強度を補強している。つまり、第１実施形態によるコネクタ１０は、プリント基板の表面にハンダ接合できる表面実装型コネクタである。
【００４５】
図４を参照すると、一方の補強タブ３５は、圧入片３５ｐと接合片３５ｃを架橋する架橋片３５ｂを形成している。同様に、他方の補強タブ３６は、圧入片３６ｐと接合片３６ｃを架橋する架橋片３６ｂを形成している。
【００４６】
図４を参照すると、カバーハウジング２は、一対の円柱状の軸部２１ｃ・２１ｃを両側面から突出している。一対の円柱状の軸部２１ｃ・２１ｃは、一対の架橋片３５ｂ・３６ｂと第１ハウジング１で回動自在に保持できる（図１又は図２参照）。そして、コネクタ１０は、第１ハウジング１に対してカバーハウジング２を開閉できる。
【００４７】
（第１ハウジングの構成）
次に、第１実施形態による第１ハウジング１の構成を説明する。図１から図５を参照すると、第１ハウジング１は、絶縁性を有する合成樹脂からなり、絶縁性を有する合成樹脂を成形して、所望の形状を得ることができる。
【００４８】
図１又は図４を参照すると、第１ハウジング１は、一対の立設壁１１ａ・１１ａを凹部１１の底面から突出している。これらの立設壁１１ａ・１１ａは、ＦＰＣ１ｆｃをＦＰＣ１ｆｃの案内できる。そして、これらの立設壁１１ａ・１１ａは、凹部１１に挿入されたＦＰＣ１ｆｃの導体と複数の第１コンタクト３が位置合わせできるように、ＦＰＣ１ｆｃを幅方向に規制できる。
【００４９】
図１又は図４を参照すると、第１ハウジング１は、縦長の矩形溝１ｄを櫛の歯状に形成している。矩形溝１ｄは、第１ハウジング１の後部から開口され、凹部１１に連通している。矩形溝１１ｄには、第１コンタクト３の第１連結脚３４を圧入できる。又、矩形溝１ｄには、第１コンタクト３の第２弾性アーム３３を収容している（図６又は図７参照）。
【００５０】
（カバーハウジングの構成）
次に、第１実施形態によるカバーハウジング２の構成を説明する。図１から図５を参照すると、カバーハウジング２は、絶縁性を有する合成樹脂からなり、絶縁性を有する合成樹脂を成形して、所望の形状を得ることができる。
【００５１】
図１又は図４を参照すると、カバーハウジング２は、櫛の歯状に形成された矩形の切り欠き２ｄを基端部側に有している。切り欠き２ｄには、第１固定アーム３１の先端部側を収容している（図６参照）。又、切り欠き２ｄには、第１カム部２ｃを介在している。複数の第１カム部２ｃは、同軸上に配置されている。複数の第１カム部２ｃは、仮想の回転軸を構成している、と言うこともできる。そして、押え部３１ｈと受け部３２ｓは、仮想の回転軸を回転自在に挟持している（図６又は図７参照）。
【００５２】
図６又は図７を参照すると、第１カム部２ｃは、第１輪郭部２１１と第２輪郭部２１２を外周面に形成している。第１輪郭部２１１が押え部３１ｈに係合しているときは、カバーハウジング２の閉姿勢を維持できる（図７参照）。第２輪郭部２１２が受け部３２ｓに係合しているときは、カバーハウジング２の開姿勢を維持できる（図６参照）。
【００５３】
（第１コンタクトの構成）
次に、第１実施形態による第１コンタクト３の構成を説明する。すると、第１コンタクト３は、導電性を有する金属板からなり、導電性を有する金属板を打ち抜き加工して、板状の第１コンタクト３を得ることができる。第１コンタクト３は、例えば、銅合金を用いることができるが、銅合金に限定されない。
【００５４】
図４又は図５及び図６を参照して、第１コンタクト３は、その板厚面から僅かに突出する圧入用のバーブ（ｂａｒｂ：刺）を設けることが好ましく、第１ハウジング１に形成された縦長の矩形溝１ｄに第１コンタクト３を圧入して固定できる。なお、第１コンタクト３の詳細な構成は、全体構成で説明しているので省略する。
【００５５】
（ＦＰＣ用コネクタの作用）
次に、第１実施形態によるコネクタ１０の動作を説明しながら、コネクタ１０の作用及び効果を説明する。
【００５６】
図８は、第１実施形態によるＦＰＣ用コネクタの構成を示す縦断面図であり、第１ハウジングにＦＰＣを挿入した状態で、カバーハウジングを閉じる過程の状態図である。図９は、第１実施形態によるＦＰＣ用コネクタの構成を示す縦断面図であり、第１ハウジングにＦＰＣを挿入した状態で、カバーハウジングを閉じた状態図である。
【００５７】
図６を参照して、カバーハウジング２が開いた状態では、第１弾性アーム３２と第１接点ｃ１、第２接点ｃ２、及び第３接点ｃ３との対向距離がＦＰＣ１ｆｃの板厚より大きく設定しているので、力を殆んど必要とすることなく、ＦＰＣ１ｆｃを凹部１１に挿抜できる。つまり、第１実施形態によるコネクタ１０は、ＺＩＦタイプのＦＰＣ用コネクタである。
【００５８】
図８に示すように、ＦＰＣ１ｆｃを凹部１１に挿入した状態で、カバーハウジング２を反時計方向に回動すると、第１カム部２ｃの回動に連動して、第１弾性アーム３２が押し下げる。そして、第１弾性アーム３２は、ＦＰＣ１ｆｃを第２接点ｃ２及び第３接点ｃ３に向かって加圧する力を付勢している。この場合、第１固定アーム３１、断面２次モーメントの大きい剛性腕で構成することが好ましい。
【００５９】
図８に示した状態から、カバーハウジング２を反時計方向に更に回動して、図９に示すように、カバーハウジング２を閉じると、第１輪郭部２１１が押え部３１ｈに係合しているので、カバーハウジング２の閉姿勢を維持できる（図７参照）。
【００６０】
図９に示した状態では、第１弾性アーム３２は、ＦＰＣ１ｆｃを第２接点ｃ２及び第３接点ｃ３に向けて加圧していると共に、カバーハウジング２の先端部側は、ＦＰＣ１ｆｃを第１接点ｃ１に向けて加圧している。これにより、ＦＰＣ１ｆｃの導体は、第１コンタクト３と確実に接触できる。
【００６１】
このように、第１実施形態によるコネクタ１０は、ＦＰＣ１ｆｃの一方の面に形成した導体と電気的に接触する接点を三つ備えているので、第１コンタクト３とＦＰＣ１ｆｃの接続が確実になるという効果がある。
【００６２】
［第２実施形態］
（ＦＰＣ用コネクタの構成）
次に、本発明の第２実施形態によるＦＰＣ用コネクタの構成を説明する。図１０は、本発明の第２実施形態によるＦＰＣ用コネクタの構成を示す縦断面図であり、第１バックフリップカバーを開いた状態図である。
【００６３】
図１０を参照すると、本発明の第２実施形態によるＦＰＣ用コネクタ（以下、コネクタと略称する）２０は、直方体状の第２ハウジング４、矩形板状の第１バックフリップカバー５、及び複数の板状の第２コンタクト６を備えている。
【００６４】
図１０を参照すると、第２ハウジング４は、ＦＰＣ１ｆｃが挿入される開口４１を一方の端部に形成している。又、第２ハウジング４は、第１段差４２を他方の端部に形成している。第１バックフリップカバー５は、第１段差４２を開閉自在に覆うことができる。又、第２ハウジング４は、所定のピッチで並設配置された第２コンタクト６を内部に備えている。
【００６５】
図１０を参照すると、第２コンタクト６は、第２固定アーム６１と第３弾性アーム６２を備えている。又、第２コンタクト６は、第４弾性アーム６３、第２連結脚６４、及び第１係合アーム６５を備えている。第２固定アーム６１は、第２ハウジング４の底部側に固定している。第３弾性アーム６２は、第２固定アーム６１と対向配置されている。
【００６６】
図１０を参照すると、第４弾性アーム６３は、第３弾性アーム６２が延びる方向と同じ方向に延出した後に、第３弾性アーム６２に向かって反転している。第２連結脚６４は、第２固定アーム６１及び第３弾性アーム６２の基端部同士を連結している。
【００６７】
図１０を参照すると、第１係合アーム６５は、第３弾性アーム６２と相反する向きに延びている。そして、第１係合アーム６５は、第１段差４２に向けて突出している。又、第１係合アーム６５は、鉤部６５ａを先端部に形成している。鉤部６５ａは、第１段差４２の底面に向かっている。
【００６８】
図１０を参照すると、第２コンタクト６は、第２固定アーム６１と反対側にリード部６ｒを突出している。リード部６ｒは、その底面をプリント基板８ｐの表面にハンダ接合できる（図６又は図７参照）。
【００６９】
図１０を参照すると、第１バックフリップカバー５は、第２カム部５１を基端部に有している。第２カム部５１は、第１係合アーム６５と第１段差４２の底面との間に回動可能に保持されている。又、第２カム部５１は、鉤部６５ａで離間困難に阻止されている。
【００７０】
図１０を参照すると、第２カム部５１は、第１カム面５１ｃを外周に設けている。第１バックフリップカバー５を閉じると、第１カム面５１ｃが第１係合アーム６５を押して、第３弾性アーム６２の先端部を第４弾性アーム６３に向けて閉じることができる。一方、第１バックフリップカバー５を開くと、第１係合アーム６５が第１カム面５１ｃに追従して、第３弾性アーム６２の先端部を第４弾性アーム６３から開くことができる。
【００７１】
図１０を参照すると、第４弾性アーム６３は、その反転元に第４接点ｃ４を設けている。又、第４弾性アーム６３は、その反転側に一組の第５接点ｃ５及び第６接点ｃ６を設けている。一組の第５接点ｃ５及び第６接点ｃ６は、第３弾性アーム６２と対向配置されている。そして、第４接点ｃ４、第５接点ｃ５、及び第６接点ｃ６は、ＦＰＣ１ｆｃの導体と接触自在に開口４１の底面から突出している。
【００７２】
（ＦＰＣ用コネクタの作用）
次に、第２実施形態によるコネクタ２０の動作を説明しながら、コネクタ２０の作用及び効果を説明する。
【００７３】
図１０を参照して、第１バックフリップカバー５が開いた状態では、第３弾性アーム６２と第４接点ｃ４、第５接点ｃ５、及び第６接点ｃ６との対向距離がＦＰＣ１ｆｃの板厚より大きく設定しているので、力を殆んど必要とすることなく、ＦＰＣ１ｆｃを開口４１に挿抜できる。つまり、第２実施形態によるコネクタ２０は、ＺＩＦタイプのＦＰＣ用コネクタである。
【００７４】
図１０に示した状態で、ＦＰＣ１ｆｃを開口４１に挿入し、第１バックフリップカバー５を時計方向に回動し、第１バックフリップカバー５を閉じると、第３弾性アーム６２を第４弾性アーム６３に向けて傾倒できる。そして、第３弾性アーム６２は、ＦＰＣ１ｆｃを第４接点ｃ４、第５接点ｃ５、及び第６接点ｃ６に向けて加圧できる。これにより、ＦＰＣ１ｆｃの導体は、第２コンタクト６と確実に接触できる。
【００７５】
このように、第２実施形態によるコネクタ２０は、ＦＰＣ１ｆｃの一方の面に形成した導体と電気的に接触する接点を三つ備えているので、第２コンタクト６とＦＰＣ１ｆｃの接続が確実になるという効果がある。
【００７６】
図１から図９に示した第１実施形態によるＦＰＣ用コネクタは、ＦＰＣを挿入する前部のフリップカバーが開閉自在な、いわゆるフロントフリップタイプのコネクタであるのに対し、図１０に示した第２実施形態によるＦＰＣ用コネクタは、ＦＰＣを挿入する前部と反対側の後部に設けたフリップカバーが開閉自在な、いわゆるバックフリップタイプのコネクタである。
【００７７】
［第３実施形態］
（ＦＰＣ用コネクタの構成）
次に、本発明の第３実施形態によるＦＰＣ用コネクタの構成を説明する。図１１は、本発明の第３実施形態によるＦＰＣ用コネクタの構成を示す縦断面図であり、第２バックフリップカバーを開いた状態図である。
【００７８】
図１１を参照すると、本発明の第２実施形態によるＦＰＣ用コネクタ（以下、コネクタと略称する）３０は、直方体状の第３ハウジング４０、矩形板状の第２バックフリップカバー７、及び複数の板状の第３コンタクト８を備えている。
【００７９】
図１１を参照すると、第３ハウジング４０は、ＦＰＣ１ｆｃが挿入される開口４１０を一方の端部に形成している。又、第３ハウジング４０は、第２段差４２０を他方の端部に形成している。第２バックフリップカバー７は、第２段差４２０を開閉自在に覆うことができる。又、第３ハウジング４０は、所定のピッチで並設配置された第３コンタクト８を内部に備えている。
【００８０】
図１１を参照すると、第３コンタクト８は、第３固定アーム８１と第５弾性アーム８２を備えている。又、第３コンタクト８は、第６弾性アーム８３、第３連結脚８４、及び第２係合アーム８５を備えている。第３固定アーム８１は、第３ハウジング４０の底部側に固定している。第５弾性アーム８２は、第３固定アーム８１と対向配置されている。
【００８１】
図１１を参照すると、第６弾性アーム８３は、第５弾性アーム８２が延びる方向と同じ方向に延出した後に、第５弾性アーム８２に向かって反転している。第３連結脚８４は、第３固定アーム８１及び第５弾性アーム８２の基端部同士を連結している。
【００８２】
図１１を参照すると、第２係合アーム８５は、第５弾性アーム８２と相反する向きに延びている。そして、第２係合アーム８５は、第２段差４２０に向けて突出している。又、第２係合アーム８５は、押え部８５ａを先端部に形成している。押え部８５ａは、第２段差４２０の底面に向かっている。
【００８３】
図１１を参照すると、第３コンタクト８は、第３固定アーム８１と反対側にリード部８ｒを突出している。リード部８ｒは、その底面をプリント基板８ｐの表面にハンダ接合できる（図６又は図７参照）。
【００８４】
図１１を参照すると、第２バックフリップカバー７は、第３カム部７１を基端部に有している。第３カム部７１は、第２係合アーム８５と第２段差４２０の底面との間に回動可能に保持されている。又、第３カム部７１は、押え部８５ａで押さえられている。
【００８５】
図１１を参照すると、第３カム部７１は、第２カム面７１ｃを外周に設けている。第２バックフリップカバー７を閉じると、第２カム面７１ｃが第２係合アーム８５を押して、第５弾性アーム８２の先端部を第６弾性アーム８３に向けて閉じることができる。一方、第２バックフリップカバー７を開くと、第２係合アーム８５が第２カム面７１ｃに追従して、第５弾性アーム８２の先端部を第６弾性アーム８３から開くことができる。
【００８６】
図１１を参照すると、第６弾性アーム８３は、その反転元に第７接点ｃ７を設けている。又、第６弾性アーム８３３は、その反転側に一組の第８接点ｃ８及び第９接点ｃ９を設けている。一組の第８接点ｃ８及び第９接点ｃ９は、第５弾性アーム８２と対向配置されている。そして、第７接点ｃ７、第８接点ｃ８、及び第９接点ｃ９は、ＦＰＣ１ｆｃの導体と接触自在に開口４１０の底面から突出している。
【００８７】
（ＦＰＣ用コネクタの作用）
次に、第３実施形態によるコネクタ３０の動作を説明しながら、コネクタ３０の作用及び効果を説明する。
【００８８】
図１０を参照して、第２バックフリップカバー７が開いた状態では、第５弾性アーム８２と第７接点ｃ７、第８接点ｃ８、及び第９接点ｃ９との対向距離がＦＰＣ１ｆｃの板厚より大きく設定しているので、力を殆んど必要とすることなく、ＦＰＣ１ｆｃを開口４１０に挿抜できる。つまり、第３実施形態によるコネクタ３０は、ＺＩＦタイプのＦＰＣ用コネクタである。
【００８９】
図１１に示した状態で、ＦＰＣ１ｆｃを開口４１０に挿入し、第２バックフリップカバー７を反時計方向に回動し、第２バックフリップカバー７を閉じると、第５弾性アーム８２を第６弾性アーム８３に向けて傾倒できる。そして、第６弾性アーム８３は、ＦＰＣ１ｆｃを第７接点ｃ７、第８接点ｃ８、及び第９接点ｃ９に向けて加圧できる。これにより、ＦＰＣ１ｆｃの導体は、第３コンタクト８と確実に接触できる。
【００９０】
このように、第２実施形態によるコネクタ３０は、ＦＰＣ１ｆｃの一方の面に形成した導体と電気的に接触する接点を三つ備えているので、第３コンタクト８とＦＰＣ１ｆｃの接続が確実になるという効果がある。
【００９１】
図１０に示した第２実施形態によるＦＰＣ用コネクタは、ＦＰＣを挿入する前部と反対側の後部に設けたフリップカバーを後方に倒す。いわゆるバックフリップタイプのコネクタであるのに対し、図１１に示した第３実施形態によるＦＰＣ用コネクタは、ＦＰＣを挿入する前部と反対側の後部に設けたフリップカバーを前方に倒す。いわゆるミッドフリップタイプのコネクタである。
【００９２】
本発明によるＦＰＣ用コネクタは、フロントフリップタイプのコネクタに適用できることは勿論であるが、バックフリップタイプのコネクタ又はミッドフリップタイプのコネクタに応用することができる。又、接点は、三つに限定されることなく、四つ以上も可能である。
【符号の説明】
【００９３】
１  第１ハウジング
２  カバーハウジング
２ｃ  第１カム部
３  第１コンタクト
１０  コネクタ（ＦＰＣ用コネクタ）
１１  凹部
３１  第１固定アーム
３１ｈ  押え部
３２  第１弾性アーム
３２ｓ  受け部
３３  第２弾性アーム
３４  第１連結脚
ｃ１・ｃ２・ｃ３  第１〜第３接点
１ｆｃ  ＦＰＣ
【図１】
0006437790.tif 000002
【図２】
0006437790.tif 000003
【図３】
0006437790.tif 000004
【図４】
0006437790.tif 000005
【図５】
0006437790.tif 000006
【図６】
0006437790.tif 000007
【図７】
0006437790.tif 000008
【図８】
0006437790.tif 000009
【図９】
0006437790.tif 000010
【図１０】
0006437790.tif 000011
【図１１】
0006437790.tif 000012
【図１２】
0006437790.tif 000013
【図１３】
0006437790.tif 000014
【図１４】
0006437790.tif 000015